Podtech/llm-jp-corpus-v4-ja_patent huggingface dataset:
(57)【要約】      （修正有）【課題】鉄骨基礎工事用アンカーボルトフレームネジ部の保護の組合せがアンカーボルトフレームと粘着テープでは、粘着テープを切る、ネジ部に巻きつける作業があり、ネジ部のカバーのための作業に手間がかかっている。コンクリート注入後の粘着テープ取り外しの手間がかかっている。【解決手段】鉄骨基礎工事用アンカーボルトフレームネジ部3の保護をアンカーボルトフレームと巻き型のＥＰ（ポリエチレン）5との組合せに替えることで、ワンタッチでネジ部に保護をすることが出来る組合せ形状にする。この際コンクリート注入時、保護物が落下するのを防止するため、加熱した道具で、一箇所刻印した形状にする。【選択図】図２
0003101987.tif 000002
【実用新案登録請求の範囲】
【請求項１】
鉄骨基礎工事で使用するアンカーボルトフレームのネジ部を保護するためのアンカーボルトフレームと保護するものの組合せを、アンカーボルトフレームと粘着テープからアンカーボルトフレームと巻き型のＥＰ（ポリエチレン）に変更する。
コンクリート注入時の落下防止のため、ＥＰ（ポリエチレン）に加熱刻印する形状にする。
【考案の詳細な説明】
【技術分野】
【０００１】
本考案は、鉄骨基礎工事用アンカーボルトフレームネジ部の保護のための組合せと形状の変更に関するものである。
【背景技術】
【０００２】
従来の鉄骨基礎工事用アンカーボルトフレームネジ部の保護では、アンカーボルトフレームと粘着テープの組合せになっている。
【考案の開示】
【考案が解決しようとする課題】
【０００３】
鉄骨基礎工事用アンカーボルトフレームネジ部の保護の組合せがアンカーボルトフレームと粘着テープでは、粘着テープを切る、ネジ部に巻きつける作業があり、ネジ部の保護のための作業に手間がかかっている。
コンクリート注入後の粘着テープ取り外しの手間がかかっている。
【考案の効果】
【０００４】
鉄骨基礎工事用アンカーボルトフレームネジ部の保護の組合せをアンカーボルトフレームと巻き型のＥＰ（ポリエチレン）に替えることで、ワンタッチでネジ部に保護をすることが出来る組合せ形状になる。
この際コンクリート注入時、保護物が落下するのを防止するため、加熱した道具で、一箇所刻印した形状にする。
コンクリート注入後の保護物の取り外しをワンタッチで出来る組合せ形状になる。
【考案を実施するための最良の形態】
【０００５】
鉄骨基礎工事用アンカーボルトフレームネジ部の保護の組合せをアンカーボルトフレームと巻き型ＥＰ（ポリエチレン）にし、一箇所凹部をつけた形状にする。
【図面の簡単な説明】
【０００６】
【図１】鉄骨基礎工事用アンカーボルトフレームのアンカーボルトネジ部に保護物を取り付    ける前の拡大した立面図である。５を３に装着し、加熱打刻する。
【図２】鉄骨基礎工事用アンカーボルトフレームのアンカーボルトネジ部に保護物を取り付け後の拡大した立面図である。コンクリート打設（注入）後、１  ２  ５を取り外す。
【図３】鉄骨基礎工事用アンカーボルトフレームの立面図である。○の所を拡大したものが図    １図２である。
【図４】鉄骨基礎工事用アンカーボルトフレームの正面図である。
【符号の説明】
【０００７】
１  ナット
２  形板（ゲージプレート）
３  ネジ部
４  アンカーボルト
５  巻き型ＥＰ（ポリエチレン）カバー
６  凹部
７  コンクリート
【図１】
0003101987.tif 000003
【図２】
0003101987.tif 000004
【図３】
0003101987.tif 000005
【図４】
0003101987.tif 000006
【手続補正書】
【提出日】平成15年12月1日(2003.12.1)
【手続補正１】
【補正対象書類名】実用新案登録請求の範囲
【補正対象項目名】請求項１
【補正方法】変更
【補正の内容】
【請求項１】
（鉄骨基礎工事で使用するアンカーボルトフレームのネジ部を保護するためのアンカーボルトフレームと保護するものの組合せを、アンカーボルトフレームと粘着テープからアンカーボルトフレームと巻き型のＥＰ（ポリエチレン）に変更する。
コンクリート注入時の落下防止のため、ＥＰ（ポリエチレン）に加熱刻印する形状にする。）
鉄骨基礎工事で使用するアンカーボルトフレームのネジ部の保護部材を加熱刻印した巻き型のポリエチレンとしたアンカーフレーム
【手続補正書】
【提出日】平成16年1月27日(2004.1.27)
【手続補正１】
【補正対象書類名】実用新案登録請求の範囲
【補正対象項目名】請求項１
【補正方法】変更
【補正の内容】
【請求項１】
鉄骨基礎工事で使用するアンカーボルトフレームのネジ部保護部材を加熱刻印
した巻き型のポリエチレンとしたアンカーフレーム
(57)【要約】【課題】  本考案は自動車の座席の下部に荷物落下防止機を設け、荷物落下受け部分を引き上げて、荷物の落下を防止する。【解決手段】  本考案は自動車の座席の下部に荷物落下防止機を取り付け装置で固定し、座席に荷物を置いて、１の引き上げ下げハンドルで２と３の荷物落下受け部分を上方向に引き上げ固定する事によって、バッグ、カバン、その他の荷物の落下防止に役立つ。【選択図】  図３
0003101984.tif 000002
【実用新案登録請求の範囲】
【請求項１】
自動車の座席の下部に取り付け装置を設け、上下伸縮自在の荷物落下防止装置を設けた事を特徴とする自動車座席荷物落下防止機。
【考案の詳細な説明】
【技術分野】
【０００１】  本考案は、自動車の座席の下部に取り付け装置を設けた、荷物落下防止に関するものである。
【背景技術】
【０００２】  自動車の座席に荷物を置いた場合、荷物のバランスが崩れたり、急ブレーキ等で荷物が滑り落ちてた。
【考案の開示】
【考案が解決しようとする課題】
【０００３】  座席の荷物が滑り落ちる事によって、物が壊れたり、汚れたりする。又運転中荷物の落下に注意がゆき、運転がおろそかになり事故になる場合もある。荷物落下防止機を取り付ける事によって、前述の問題点を解決しようとするものです。
【課題を解決する為の手段】
【０００４】  本考案は、自動車の座席の下部に荷物落下防止機を取り付け装置で固定し、落下荷物受け部分を、引き上げ下げハンドルで引き上げて荷物の落下を防止し、不要の時は座席の下部に押し下げて収納する事によって問題点を解決している。
【考案の効果】
【０００５】  上述の様に、本考案の荷物落下防止機を自動車の座席の下部に設ける事によって、バッグ、カバン、買い物荷物等の落下を防ぎ、不要の時は座席の下部に収納する事によって、座席の移動にも、座る人にも妨げにならず、尚且つ座席の荷物に気を取られる事なく、運転に注視でき安全運転にも役立つ。
【考案を実施する為の最良の形態】
【０００６】  自動車の助手席の下部に荷物落下防止機を挟み取り付け固定する。固定して置かなければ荷物の落下防止力がない。座席に荷物を置いた後、運転席に座ったまま、引き上げ下げハンドルで落下荷物受け部分を引き上げて、荷物の落下を防ぐ。不要になったら押し下げておけばよい。
【実施例】
【０００７】  以下、添付図面に従って一実施例を説明する。５の下支え金板バネと４の基礎パイプとの挟み付け装置で、自動車の座席の前部分から下部に挟み取り付け固定する。８はソフトラバーで落下防止機を座席に固定する時、座席とのパッキングでクッション役です。【０００８】  荷物の落下を防ぐ時は、固定された落下防止機の１の引き上げ下げハンドルを上方向に引き上げ、２と３の落下荷物受け部分を７の位置に４の基礎パイプと３の中軸スライドパイプの太さの大小を利用して固定させて使用する。不要の時は１の引き上げ下げハンドルで下方向に押し、収納しておく。
【図面の簡単な説明】
【０００９】
【図１】本考案の荷物落下防止機の裏面図である。
【図２】本考案の荷物落下防止機の右面図である。
【図３】本考案の荷物落下防止機を座席に取り付けた一例図である。
【符号の説明】
１    引き上げ下げハンドル
２    落下荷物受けネット
３    中軸スライドパイプ
４    基礎パイプ
５    下支え金板バネ
６    締め付けボルト
７    基礎パイプの上部分
８    ソフトラバー
９    自動車の座席
１０  荷物落下防止機の本体
１１  荷物
１２  基礎パイプ固定棒
１３  溶接部分
【図１】
0003101984.tif 000003
【図２】
0003101984.tif 000004
【図３】
0003101984.tif 000005
【手続補正書】
【提出日】平成15年12月26日(2003.12.26)
【手続補正１】
【補正対象書類名】実用新案登録請求の範囲
【補正対象項目名】全文
【補正方法】変更
【補正の内容】
【実用新案登録請求の範囲】
【請求項１】
自動車の座席の下部の取り付け装置に、上下伸縮自在の荷物落下防止装置を設けた事を特徴とする自動車座席荷物落下防止機。
(57)【要約】【課題】  このランニングボードは、摩擦抵抗の少ない材質の平面上で足を滑らせて走る運動ができる、廉価でかさばらずに収納できるようにしたものである。【解決手段】  本考案は、１のゴム板に２の枠を設け、枠内に３の樹脂板を貼り付けることにより、家具の隙間などへの収納を可能にし、安価で電力なども必要なく、簡便に室内でのランニング運動を可能にしたものである。【選択図】  図１
0003101989.tif 000002
【実用新案登録請求の範囲】
【請求項１】
ゴム板上に摩擦抵抗の少ない材質の平面を設け、その上で靴下をはいた足を滑らせることによって走る運動ができることを特徴とするランニングボードである。
【考案の詳細な説明】
【技術分野】
【０００１】  この考案は、摩擦抵抗の少ない材質の平面上で足を滑らせて走る運動ができる運動器具に関するものである。
【背景技術】
【０００２】  従来は、ベルト状の走行面が回転運動をする大がかりな運動器具であった。
【考案の開示】
【考案が解決しようとする課題】
【０００３】  従来のランニングマシーンは、ベルト状の走行面がモーターの力や斜面を滑り降りる動きを利用して回転運動をする大がかりな運動用具だった。回転運動するために強固な枠を用いその間にローラーを配置しゴムベルトを装着し手すりなどの付属部品も多く、かさばり収納するにも大きな空間が必要で不便であった。また、効果で電力が必要なものも多く、使用する場所も限定されていた。
【課題を解決するための手段】
【０００４】  本考案は、摩擦抵抗の少ない材質の平面上で、摩擦抵抗の少ない靴下をはき、足を後方に蹴り滑らせ、実際に走るのと同じ運動ができる。形状は板状で薄いので、家具の隙間などへの収納を可能にし、問題点を解決している。また、安価で電力なども必要なく簡便であり、どこでも使用できる。
【考案の効果】
【０００５】  上記のように、薄い板状なので今までの器具のように大がかりでなく、電力や収納の場所が少なく、使う場所も問わないので非常に扱いやすい。
【考案を実施するための最良の形態】
【０００６】  床と密着するよう硬質のゴム板を用い、その表面に摩擦抵抗の少ない樹脂板を貼る。転倒防止のためにゴム板の端を高くした枠を設ける。
【実施例】
【０００７】  以下、添付図面に従って実施例を説明する。１のゴム板に２の枠を設け、枠内に３の樹脂板を貼り付ける。
【図面の簡単な説明】
【０００８】
【図１】考案の正面図である。
【図２】考案の拡大した断面図である。
【符号の説明】
【０００９】１  ゴム板
２  転倒防止枠
３  摩擦抵抗の少ない丈夫な樹脂板
【図１】
0003101989.tif 000003
【図２】
0003101989.tif 000004
(57)【要約】【課題】本考案は、従来の名刺の機能性に、布を貼ることによって個性的で記憶に残る好印象の名刺を提供する。【解決手段】本考案は一部印刷された名刺台紙に、和紙によって裏打ちされた各種の布を長方形、正方形、丸型等、任意の大きさ形に切り糊付け加工する。【選択図】  図３
0003101990.tif 000002
【実用新案登録請求の範囲】
【請求項１】
住所、氏名、連絡先等印刷された名刺台紙の一部に和紙によって裏打ちされた各種の布を、長方形、正方形、丸形等、任意の大きさ形に切り糊付け加工を施した名刺。
【考案の詳細な説明】
【技術分野】
【０００１】本考案は、名刺の一部に布を貼った名刺に関するものである。
【背景技術】
【０００２】従来名刺は印刷物であり、布を貼るものではなかった。
【考案の開示】
【考案が解決しようとする課題】
【０００３】名刺台紙は厚紙であり、逆に布はやわらかく、定形に切ること自体が難しくまして紙に直接効率良く貼ることは難しかった。
前述の欠点を解決しようとする物である。
【課題を解決する為の手段】
【０００４】布を和紙により裏打ちする事で、裁断、加工し易くすることにより名刺台紙に直接貼ることを可能とした物である。
【考案の効果】
【０００５】各種布地の持つ柄の優雅さ美しさを、名刺に貼ることにより個性的で印象の高い名刺を提供することが出来る。
【実施例】
【０００６】絹素材の錦紗の様な布地は柔く切りにくいものであるが、和紙を布地に裏打ちする事で、正確に切ることが可能となり、名刺台紙に直接貼る事が出来る。
【図面の簡単な説明】
【０００７】
【図１】布地の和紙による裏打ち
【図２】布地の裏打ちの断面図
【図３】裏打ちした布を任意の大きさ形に裁断し名刺台紙に貼る。
【図４】布地を貼った名刺の断面図
【符号の説明】
【０００８】  １  布地
２  和紙
３  糊
４  布地
５  和紙
６  糊
７  名刺
８  名刺台紙
９  裏打ち後の布地
１０  糊
【図１】
0003101990.tif 000003
【図２】
0003101990.tif 000004
【図３】
0003101990.tif 000005
【図４】
0003101990.tif 000006
(57)【要約】      （修正有）【課題】挿入溝が綴込穴からホルダ端まであるようなホルダを使用するファイルにおいて、そのホルダのファイルからの抜き差しを容易にする。【解決手段】ファイル１０の綴具２０が、開閉機構を持たず、柱形である胴部を有し、綴具の片側がファイル背面と結合していて、その反対側が綴具の胴部より大きな径の止部を有している。また、綴具と結合していないファイルの表面に、綴具の止部がかかる止孔を有している。さらに、綴具の柱形である胴部の断面形状が、円形、多角形、もしくはそれらを組み合わせた形状のどれかである。【選択図】図１
0003101996.tif 000002
【実用新案登録請求の範囲】
【請求項１】
ファイルの綴具が、開閉機構を持たず、柱形である胴部を有し、前記綴具の片側がファイル背面と結合していて、その反対側が前記綴具の胴部より大きな径の止部を有していることを特徴とする抜き差し可能なファイル。
【請求項２】
前記綴具と結合していないファイルの表面に、前記綴具の止部がかかる止孔を有していることを特徴とする請求項１に記載の抜き差し可能なファイル。
【請求項３】
前記綴具の柱形である胴部の断面形状が、円形、多角形、もしくはそれらを組み合わせた形状のどれかであることを特徴とする請求項１または２に記載の抜き差し可能なファイル。
【考案の詳細な説明】
【技術分野】
【０００１】
本考案は、情報記録媒体用ホルダの抜き差しができるファイルに関するものである。
【背景技術】
【０００２】
情報記録媒体用ホルダとそのファイルには、いくつかの形状があり、代表的なものとして、ホルダがファイルに結合しているブック状のものや、ファイルの綴具の開閉機構によってホルダの取り出しと取り付けができるバインダー状のものなどがある。
【０００３】
バインダー状のファイルは、ホルダの取り出しと取り付けを行うために、綴具の開閉機構を開閉させなければならないが、挿入溝が綴込穴からホルダ端まであるホルダを使えば、ファイルの綴具を開閉することなく、ホルダを抜き差しすることができる。
【０００４】
例えば、特開２０００−１５８８６５の収納用ホルダ、特開２００１−３０６７１の収納用ホルダ、特開２００１−１２１８６７のシートファイル、特開２００１−３９０７５のファイルホルダ、または、実案第３０９６６３０号のファイル綴込み用ＣＤ等記録ディスク保護シート材などがある。
【特許文献１】特開２０００−１５８８６５号
【特許文献２】特開２００１−３０６７１号
【特許文献３】特開２００１−１２１８６７号
【特許文献４】特開２００１−３９０７５号
【特許文献５】実案第３０９６６３０号
【特許文献６】特許第２９６８２６７号
【考案の開示】
【考案が解決しようとする課題】
【０００５】
これら抜き差しできるホルダを使うためのファイルは、リング状の開閉機構を持つリングファイルなどでも、リングを開閉せずに使うことはできるが、必ずしも使い勝手がよいと言えるものではなかった。
【０００６】
また、特許第２９６８２６７号の収納ケースのように、ケースの中でホルダを保持するために利用されている場合もあるが、ケースの蓋を開閉する必要があり、蓋を開けることなくホルダを抜き差しすることはできなかった。
【課題を解決するための手段】
【０００７】
すなわち本考案は、ファイルの綴具が、開閉機構を持たず、柱形である胴部を有し、綴具の片側がファイル背面と結合していて、その反対側が綴具の胴部より大きな径の止部を有していることを特徴とする。
【０００８】
また、綴具と結合していないファイルの表面に、綴具の止部がかかる止孔を有していることを特徴とする。
【０００９】
さらに、綴具の柱形である胴部の断面形状が、円形、多角形、もしくはそれらを組み合わせた形状のどれかであることを特徴とする。
【考案の効果】
【００１０】
本考案は、綴具を開閉することなく、ファイルから直接ホルダの抜き差しを可能にしており、さらには、ファイルの表面を開けることなく、ホルダの抜き差しを可能にしている。
【００１１】
これにより、綴具の開閉をする必要もなく、さらにはファイルの表面を開閉する必要もないので、これまでのように、開閉するために机上で使用するという限定がなくなる。場所も状態も選ばず、任意の場所でホルダの出し入れが可能になる。
【考案を実施するための最良の形態】
【００１２】
以下、本考案の実施の形態を、図をもとに説明する。
【実施例１】
【００１３】
図１は、ファイル１０の外観図である。ファイル１０の表面１１が開いた状態であり、綴具２０がファイル１０の背面１２に結合している。
【００１４】
図２は、綴具２０の外観図である。柱形である胴部２２を有しており、綴具２０の上側に、胴部２２より大きな径の止部２１があり、下側にファイル１０の背面１２との結合部２３がある。この図では、止部２１と胴部２２との接合部分は、テーパ状に滑らかに接合しており、ファイル１０との結合部２３は、テーパ部を持たずに結合している例である。
【００１５】
このファイル１０を使えば、例えば実案第３０９６６３０号のファイル綴込み用ＣＤ等記録ディスク保護シート材のような、挿入溝が綴込穴からホルダ端まであるホルダを、リングファイルのような通常のバインダー状のファイルよりも、容易に抜き差しして使用することができる。また胴部２２より大きな径の止部２１により、ホルダが綴具２０の上側から抜け出してしまうことも防いでいる。
【実施例２】
【００１６】
図３は、止孔１３を有するファイル１０が閉じている外観図である。この図では、綴具２０の止部２１が止孔１３にかかっている状態である。ファイル１０の表面１１を開けば、止部２１が止孔１３から外れる。
【００１７】
ファイル１０の表面１１が閉じた状態であっても、ホルダを抜き差しすることはできるが、図３のように止部２１が止孔１３にかかっていれば、綴具２０がより強く保持され、ホルダの抜き差しがさらに容易にできる。
【実施例３】
【００１８】
図４aから図４ｄまでは、綴具２０の胴部２２の断面図例である。図４aは円形、図４ｂは多角形の例として四角形、図４ｃは三角形と半円との組み合わせた形、図４ｄは５角形と半円とを組み合わせた形である。
【００１９】
これらのような断面を持つ柱形の胴部２２であれば、挿入溝が綴込穴からホルダ端まであるホルダの抜き差しが、通常のバインダー状のファイルよりも容易にできる。
【００２０】
また、綴具２０の胴部２２の断面図が、例えば図４ｃや図４ｄのような多角形と円形とを組み合わせたものの方が、図４aや図４ｂのような円形や多角形よりも、抜き差しが容易にでき、かつ、自然と抜けてしまうようなこともない。
【図面の簡単な説明】
【００２１】
【図１】ファイルが開いている外観図。
【図２】ファイルの綴具の外観図。
【図３】止孔を有するファイルが閉じている外観図。
【図４】綴具の胴部の断面図例。
【符号の説明】
【００２２】
１０    ファイル
１１    表面
１２    背面
１３    止孔
２０    ファイルの綴具
２１    止部
２２    胴部
２３    結合部
【図１】
0003101996.tif 000003
【図２】
0003101996.tif 000004
【図３】
0003101996.tif 000005
【図４】
0003101996.tif 000006
(57)【要約】【課題】模型の飛行機や宇宙船などの機体を実際に飛行させるためには、その機体の小ささのために、技術的に飛ばすことができなかったり、そのための外観を著しく変更する必要がある。従って、長いアームを使ってそれを回転することで  前述の欠点を解決しようとするものである。【解決手段】本考案の飛行鑑賞装置は  長いアーム１を使って片方の端に脱着自在な接合機構３を使って鑑賞用の完成された模型の飛行機や宇宙船などの機体３を固定し、反対側にそれと釣り合いが取れる重し５を取りつけ、推進するためのプロペラ８あるいは６の機構を使って  支柱４を中心に回転させ機体が空中を飛行をしているかのように鑑賞でき、通常機体を固定して視点を動かす鑑賞方法から、操縦装置７を使って飛行させ別視点での鑑賞が可能となり問題を解決している。【選択図】図１
0003101977.tif 000002
【実用新案登録請求の範囲】
【請求項１】
精密な模型の飛行機や宇宙船などの機体を実際に飛行させるためには、その機体の小ささのために、技術的に飛ばすことができなかったり、そのための外観を著しく変更する必要がある。長いアームを使って片方の端にその完成された精密な模型の飛行機や宇宙船などの機体を脱着自在な機構で固定し、反対側にそれと釣り合いが取れる重しを取りつけ、推進するためのプロペラや車輪等の機構を使って  支柱を中心に回転させ機体が空中を飛行をしているかのように鑑賞できる模型飛行機等の鑑賞装置。
【考案の詳細な説明】
【技術分野】
【０００１】本考案は、自機では飛ぶことができない模型飛行機等の機体を  長いアームを使って  あたかも飛行しているかのようにその機体を鑑賞するための装置である。
【背景技術】
【０００２】精密な模型の飛行機や宇宙船などの機体で  実際飛行できないものは  その機体を固定して鑑賞することしかできなかった。
【考案の開示】
【考案が解決しようとする課題】
【０００３】精密な模型の飛行機や宇宙船などの機体を実際に飛行させるためには、その機体の小ささのために、技術的に飛ばすことができなかったり、そのための外観を著しく変更する必要がある。従って、長いアームを使ってその回転することで  前述の欠点を解決しようとするものである。
【課題を解決するための手段】
【０００４】本考案の飛行鑑賞装置は  長いアームを使って片方の端に精密な模型の飛行機や宇宙船などの機体を結合し、反対側にそれと釣り合いが取れる重しを取りつけ、推進するためのプロペラや車輪等の機構を使って  機体が空中を飛行をしているかのように鑑賞でき、問題を解決している。
【考案の効果】
【０００５】上述の様に、本考案の模型飛行機の飛行鑑賞装置は、一般の精密なモデルの完成品の飛行機体を同様にアームと結合することができ、静的な状態の鑑賞から動的な状態の鑑賞が可能となり、より実感性のある鑑賞が可能となる。
【考案を実施するための最良の形態】
【０００６】機体よりも長いアームの端に模型の機体を脱着自在の接合機構を使って結合し、反対の端に重しをつけ、その重心にあたる場所を  回転する支点とし、その支点を中心に回転させる。アームの長さを調整できるもので鑑賞する場所に応じ調整する。アームの回転支点部に支柱を建て、推進するためのプロペラや車輪等の機構を使う場合、機体を上方向に持ち上げ、推進を止めた場合、機体を下方にさげる調整を行う。機体の外部から  推進機構を制御するための制御盤を使って、実際の飛行機体を操縦する擬似操作が可能となる。
【実施例】
【０００７】以下、添付図に従って一実施例を説明する。精密なモデルの飛行機の機体３の一部で主翼の一部を脱着自在な結合機構２で固定する。結合機構は傷をつけないようにクッション材を機体との間に入れ、また外観を損ねないように透明な材料を利用する。アームの機体と反対側の重しの部分に推進動力８あるいは６を搭載利用する。機体３をつけた状態で  重しを調整し、停止状態の場合には機体３が地面に接するようにし、推進部６を作動した場合は機体が浮上するようバランスをとる調整を行う。【０００８】推進部８は２つの独立した推進機構を有し、推進する方向は自在にすることで単に一定方向に飛行する機体以外に、浮遊するヘリコプターや飛行船のように２方向に飛行することにも対応する。操縦装置７により推進部８あるいは６を作動させ支柱４を中心に回転を行う。よって機体３は特別動力を持たなくとも、飛行が可能であるが、動力を持ったほうがより実感的名ものになる。推進部８あるいは６を作動を止めることで飛行機を着陸することが鑑賞できる。
【図面の簡単な説明】
【０００９】
【図１】模型飛行機の飛行鑑賞装置の実用例を示す全体図である。
【図２】模型飛行機の飛行鑑賞装置の実用例を示す部分図である。
【図３】模型飛行機の飛行鑑賞装置の実用例を示す断面図である。
【図４】模型飛行機の飛行鑑賞装置の実用例を示す全体図である。
【符号の説明】
【００１０】１．アーム部
２．結合機構
３．機体
４．支柱部
５．重し
６．機体内部の推進部  プロペラ
７．操縦装置
８．機体外部の推進部  プロペラ
【図１】
0003101977.tif 000003
【図２】
0003101977.tif 000004
【図３】
0003101977.tif 000005
【図４】
0003101977.tif 000006
【手続補正書】
【提出日】平成15年12月19日(2003.12.19)
【手続補正１】
【補正対象書類名】実用新案登録請求の範囲
【補正対象項目名】全文
【補正方法】変更
【補正の内容】
【実用新案登録請求の範囲】
【請求項１】
長いアームを使って片方の端にその完成された精密な模型の飛行機や宇宙船などの機体を脱着自在な機構で固定し、反対側にそれと釣り合いが取れる重しを取りつけ、推進するためのプロペラや車輪等の機構を使って  支柱を中心に回転させ機体が空中を飛行をしているかのように鑑賞できる模型飛行機等の鑑賞装置。
(57)【要約】      （修正有）【課題】野球・ソフトボールにおける片手打法用の片手でスィングと実戦での打撃ができるバットの製作を課題とする。【解決手段】理想的な片手で打つ片手打法を実践するため反発力を維持しつつも片手で十分なスィングと打撃ができるようにバット1を短く、軽量化するとともにグリップ2も片手で握りやすくやや太くした。なお、各個人の体力、腕力に対応した重量、長さ、太さのバットを製作した。【選択図】図１
0003101973.tif 000002
【実用新案登録請求の範囲】
【請求項１】
野球・ソフトボールの実戦において片手で打撃ができるようにしたバット
【考案の詳細な説明】
この考案は片手で打撃をする私が考案したジャストミートの確率が格段に向上する片手打法・テニス的打法に必要不可欠な実戦で使用する片手で打撃のできるバットの考案である。（現在、練習用としての片手バットはありますがあくまでスィング矯正の素振り練習の為のものです。何故ならば今日まで誰もが実戦において片手で打つという観念自体をもっていなかったからなのです。）
（片手で打つ利点。１．構えの段階で球が見やすい。２．投球のコースに応じて打つ態勢が柔軟且つ瞬時に対応できる。３．球を確実に捕えやすい。４．ジャストミートの確率が高くなる。５．飛距離はジャストミートすることで補える。６．４割以上の打率も期待できる。７．誰でも簡単に実践できる。）このような片手打法を行うために片手だけで十分な打撃ができ且つ反発力を維持するようにバットは各個人の体力と腕力に応じた重さ・長さ・グリップの太さに改良したものである。
今までにない片手打法と片手打ち用バットは現野球規則にも合致しているのですが、この打法を実践するには現在使用および市販製造されているバットでは対応できません。本案は以上に述べた片手打法に必要な片手打ち用バットの考案である。
【図面の簡単な説明】
【図  １】本案の斜視図
【符号の説明】（１）はバット    （２）はグリップ部
【図１】
0003101973.tif 000003
【手続補正書】
【提出日】平成15年8月19日(2003.8.19)
【手続補正２】
【補正対象書類名】明細書
【補正対象項目名】実用新案登録請求の範囲
【補正方法】変更
【補正の内容】
【実用新案登録請求の範囲】
【請求項１】
野球・ソフトボールの実戦において片手で打撃ができるようにしたバットである。  本考案のバットは野球規則に合致しつつ片手で実戦打撃に対応した十分なスィングと反発力の維持が出来るように従来型のバットを次のように改良するものである。  従来のバットと比較して太さは反発力等を維持するためほぼ従来どおりにし、長さを２〜３割程度短くして軽量化を図るとともに片手でもバットを強くしっかりと握れ、尚且つ、力強いスィングが出来るようにバットのグリップ部分をテニスラケットのように太くした片手で打撃をするためのバットの考案である。  尚、バットの長さ・重さとグリップの太さ等は各個人の体力差や腕力差に応じて対応します。
【手続補正書】
【提出日】平成15年12月17日(2003.12.17)
【手続補正１】
【補正対象書類名】明細書
【補正対象項目名】実用新案登録請求の範囲
【補正方法】変更
【補正の内容】
【実用新案登録請求の範囲】
【請求項１】
野球・ソフトボールの実戦において片手で打撃をすることを目的としたバットの考案であり次のような特徴を持つものである。
（１）バットの長さを通常のバットより２〜３割程度短くして軽量化を図るとともに握る位置を重心により近くすることで同じ重さでも少しの力でバットが振れるようにした。
（２）片手でもバットを強くしっかりと握れ、尚且つ、力強いスイングが出来るようにバットのグリップ部分をテニスラケットのように太くしたバットである。
（尚、バットの長さ・重さとグリップの太さ等は各個人の体力差や腕力差に応じて対応します。）本件手続をしたことに相違ありません。
(57)【要約】【課題】  ＣＤ等の内部での、レーザー光の乱反射を押さえ、デジタル信号エラーを防ぐ。【解決手段】  ＣＤ等の外周部と内周部の透明部分を、塗色、着色或いはシールを貼ることで、レーザー光の乱反射を押さえる。【選択図】  図２
0003101976.tif 000002
【実用新案登録請求の範囲】
【請求項１】
ＣＤ等の使用の際、レーザー光の内部での乱反射を押さえ、音質の高忠実度化する。その為、ＣＤ等の中心と外周の、透明部分を、塗色、着色或いは、シールを貼るなどする。
【考案の詳細な説明】
【考案の詳細な説明】
【考案が解決しようとする課題】
【０００１】従来、ＣＤ等の構造は、中心部と外周部が、透明のままになっており、内部でのレーザー光の乱反射を起こし、デジタル信号のエラーに因る、音質劣化を生ずる。
【課題を解決するための手段】
【０００２】  上記目的を解決するために、ＣＤ等の透明部分を、塗色、着色或いはシールを貼ることで、レーザー光の乱反射を押さえ、高忠実度化する。
【考案の効果】
【０００３】  上記の手段を講じた後の再生音は、聴感上で、明確に、音質の向上が認められます。
【図面の簡単な説明】
【図１】ＣＤ等の、平面図である。
【図２】ＣＤ等の、断面図である。太線部に塗装、印刷、着色或いはシールを貼る。
【図３】図２と同じく、ＣＤ等の断面図である。斜線部分を着色材にする。
【図１】
0003101976.tif 000003
【図２】
0003101976.tif 000004
【図３】
0003101976.tif 000005
【手続補正書】
【提出日】平成15年11月7日(2003.11.7)
【手続補正１】
【補正対象書類名】実用新案登録請求の範囲
【補正対象項目名】全文
【補正方法】変更
【補正の内容】
【実用新案登録請求の範囲】
【請求項１】
レーザー光の、内部での乱反射を防いで、音質や画質を高忠実度化する為、中心と外周の透明部分に、塗色、着色、或いはシールを貼ったＣＤ。
【請求項２】
中心と外周の透明部分に、塗色、着色、或いはシールを貼ったＤＶＤ。
(57)【要約】      （修正有）【課題】スパークリングワイン、いわゆる炭酸ガスを含む発泡性飲料は飲み残しを保存する場合、抜栓による減圧と時間経過から含まれる炭酸ガスは数分の１まで減少する。結果、品質は抜栓直後と比して著しく低下してしまう。【解決手段】栓４に加圧弁を設け高圧炭酸ガスを抜栓前の圧力まで加圧充填する。【選択図】図１
0003101972.tif 000002
【実用新案登録請求の範囲】
【請求項１】
据え置き型を含め携帯性及び卓上に置き得る炭酸ガス、又は酸素を含まない気体による移動自在なノズルを有する、液体及び固体保存用高圧ガスボンベ。
【考案の詳細な説明】
【０００１】
スパークリングワイン、いわゆる炭酸ガスを含む発泡性飲料は飲み残しを保存する場合、抜栓による減圧と時間経過から含まれる炭酸ガスは数分の１まで減少する。結果、品質は抜栓直後と比して著しく低下してしまう。
【０００２】
上記の品質低下を防ぎ長時間維持するために、栓に加圧弁を設け、高圧炭酸ガスを抜栓前の圧力まで加圧充填する。
【０００３】
抜栓前の容器内圧力を維持するため品質低下を招かず、何度でも繰り返しが可能である。
他に食品、薬品等の酸化防止の為に容器内へノズルを挿入し酸素を含まない気体を満たすことにより容器中の空気の大部分の排除が可能である。その後直ちに蓋をし密閉することで品質保持期間を数倍にも増大させ得る考案である。
【図面の簡単な説明】
【図１】携帯小型保存用ガスボンベを使用する所の図である。
【図２】据置き型可動ノズルを有する保存用ガスボンベを使用する所の図である。
【符号の説明】
１  携帯小型保存用ガスボンベ
２  据え置き型保存用ガスボンベ
３  ノズル
４  加圧弁付き栓
５  容器
６  圧力調整つまみ
７  ホース
【図１】
0003101972.tif 000003
【図２】
0003101972.tif 000004
【手続補正書】
【提出日】平成15年7月18日(2003.7.18)
【手続補正１】
【補正対象書類名】明細書
【補正対象項目名】実用新案登録請求の範囲
【補正方法】変更
【補正の内容】
【実用新案登録請求の範囲】
【請求項１】
炭酸ガス又は酸素を含まないガスを充填した、ホースの連結による移動自在なノズルを有する据え置き型液体及び固体保存用ガスボンベ、又は携帯小型ガスボンベにノズルを一体化させた液体及び固体保存用ガスボンベ。
【手続補正書】
【提出日】平成15年11月7日(2003.11.7)
【手続補正１】
【補正対象書類名】明細書
【補正対象項目名】実用新案登録請求の範囲
【補正方法】変更
【補正の内容】
【実用新案登録請求の範囲】
【請求項１】
ホースとの連結による移動自在なノズルを有する、炭酸ガス又は酸素を含まないガスを充填した、据え置き型の液体及び固体保存用ガスボンベ。
【請求項２】
片方の手に持ち得る、携帯小型ガスボンベのガス取り出しバルブにノズルを接合し、炭酸ガス又は酸素を含まないガスを充填した液体及び固体保存用ガスボンベ。
(57)【要約】【課題】１．浴槽水中に含有される次亜鉛素酸ソーダを急速に除去する。入浴器具で、桧、杉、あすなろ等の板材から発する芳香によりアロマテラピー効果をもたらし、心身の健康増進を図ることを目的とする。２．〔２図〕で示すように、木箱内の▲１▼にはヤシ殻活性炭を内臓して、▲２▼には粒子状の麦飯石を内臓し、浴槽内でバランスよく浮遊させる。３．木箱は浴槽内で椅子としても使用でき、半身浴ができるように設計した。【選択図】図１
0003101975.tif 000002
【実用新案登録請求の範囲】
【請求項１】
桧、杉、あすなろの板材を礎材とした木箱内の上層部に多孔質体のヤシ殻活性炭の微粒子をナイロン１００メッシュの袋に内包したものを置き、下層部に麦飯石の粒状を、同じ１００メッシュの袋に入れたものを置いて浴槽水中でバランスよく浮遊させることにより塩素除去と水の活性化を行う入浴器具である。
【請求項２】
芳香性のある木材を使用することを特徴とした木箱は、通水性を考えた設計構造の塩素除去と湯水の活性化を行う入浴器具である。
【請求項３】
木箱内に内蔵するヤシ殻活性炭と麦飯石は、常に清潔に保つために用意に取替えができるようにメッシュの子袋に内包して流水で手軽に洗浄でき、天日乾燥ができるように工夫した。請求項１記載の塩素除去と湯水の活性化を行う入浴器具である。
【考案の詳細な説明】
【目的】
桧、杉、あすなろの板材を礎材とした木箱に浴槽水に含まれた人体に有害な次亜鉛素酸を急速に除去し、木箱から発する芳香により、アロマテラピー効果をもたらし、心身の健康を増進させることを目的とする。
【構成】
浴槽水中に通水性のある木箱内に多孔質体のヤシ殻活性炭と温泉効果とミネラル分を溶出する、麦飯石を２層に分けて、内蔵し、浴槽内で浮遊させて、塩素除去と浴槽水の活性化効果を促進させることを特徴とする入浴器具である。
【考案の詳細な説明】
【技術分野】
【０００１】本考察は、浴槽水中に含有する塩素分を急速に除去し、湯水中の汚れを吸収。浴槽水を活性化するための入浴器具である。
【背景技術】
【０００２】一般家庭の飲料水は浄水器が比較的普及しているが、浴用水については、水道の蛇口から出てくる水をそのまま浴槽内に取り入れており、０．７〜０．８ｐｐｍの塩素分が含まれたままの状態で人浴しているのが現状である。塩素が人体の皮膚から吸収されるばかりでなく、水面で呼吸することで蒸発した塩素を呼吸によって体内に吸い込んでいる。一般家庭で手軽に、安価で使用できるものはきわめて希少である。
【考案が解決しようとする課題】
【０００３】浴槽内の人体に有害とされる塩素や雑菌類を除去し、湯水中の汚れを吸収。ミネラル分を溶出することで、湯水の活性化を促進させ、木箱から発生する芳香と樹脂成分はアロマテラピー効果に役立つことが期待できて、心身ともに、健康増進に役立てることを目的としたものである。
【課題を解決するための手段】
【０００４】浴槽水中に浮遊させながら、ヤシ殻活性炭の働きにより、水の浄化と、塩素の吸収、除去、及び浴槽水の汚れを取り除き、脱臭効果とマイナスイオンの発生と遠赤外線の放射による水の活性化が行われ、麦飯石から溶出されるミネラル分によって健康増進を図るため、入浴器具を提供するものである。
【考案を実施するための最良の形態】
【０００５】木箱に内蔵したヤシ殻活性炭は、８００〜１２００℃の範囲で水蒸気雰囲気の中で酸化させることにより、多孔性な炭素構造をより微細な孔に変化させ、表面積をより多くしたものである。活性炭１グラムで８００〜１，３００ｍ２もの面積があり、驚嘆すべき物質である。この面積が塩素を吸収して、また、有害物質をすばやく吸収、マイナスイオンの発生にも大変優れている。
【実施例】
【０００６】木箱の下層部に内蔵する、麦飯石は英語でヘルストンといわれている。中国では古来から薬石として用いられたものでヤシ殻活性炭と同様多孔質の鉱物で、塩素の吸収はもちろん、麦飯石の成分の６８％が無水珪酸から形成されており温泉効果がミネラル分の溶出により大いに期待できる。水質の調整作用を行いながら、水の溶存酸素を豊富にする力を持っている。
【考案の効果】
【０００７】世界一風呂好き国民といわれる日本人にとって毎日の人浴は生活習慣の中の大切な時間である。本考案の入浴器具を浴槽水に浮遊させることで人体に有害とされる塩素の除去と内蔵したヤシ殻活性炭と麦飯石の効力により湯水の活性が促進されるばかりでなく、木箱から発する芳香と樹脂成分は、アロマテラピー効果もあり心身ともに愉しい生活をおくられることを期待したい。
【図面の簡単な説明】
【図１】本考案の本体斜視図である。▲１▼▲２▼▲３▼はいずれも通水性をよくするため木箱強度を計算しながら最大限の隙間と通水抗を開けた。
【図２】図１のＸ−Ｙの断面図であるが▲１▼の下層部には重量のある麦飯石をナイロンメッシュ袋に内蔵して置き、▲２▼の上層部にはヤシ殻活性炭を３層に分けて袋に内蔵した。
【図１】
0003101975.tif 000003
【図２】
0003101975.tif 000004
【手続補正書】
【提出日】平成15年11月10日(2003.11.10)
【手続補正１】
【補正対象書類名】実用新案登録請求の範囲
【補正対象項目名】全文
【補正方法】変更
【補正の内容】
【実用新案登録請求の範囲】
【請求項１】
桧、杉、あすなろの板材を礎材とした木箱内の上層部に多孔質体のヤシ殻活性炭の微粒子をナイロン１００メッシュの袋に内包したものを置き、下層部に麦飯石の粒状を、同じ１００メッシュの袋に入れたものを置いて浴槽水中でバランスよく浮遊させることにより塩素除去と水の活性化を行う入浴器具
【請求項２】
木箱の材質として芳香性のある木材を使用した請求項１記載の入浴器具
【請求項３】
木箱内に内蔵するヤシ殻活性炭と麦飯石は、常に清潔に保つために容易に取替えができるようにメッシュの子袋に内包して流水で手軽に洗浄でき、天日乾燥ができるように工夫した。請求項１記載の行う入浴器具
(57)【要約】      （修正有）【課題】液体加熱、冷却のパイプを１体化することで、一種類で加熱、冷却を可能に出来、小型で省スペース化をはかるとともに、加熱して域目的温度に達した時にすぐに冷却に切り替える事によりオーバーランを防ぎ、安定した目的温度を保つ事が出来る液体加熱一本化パイプを提供する。【解決手段】浮上防止板4に穴の空いたパイプ固定用ガイド板3を取り付ける。加熱用テフロンパイプ又は金属パイプ1をスパイラル状に通す。冷却パイプ2も同様である。冷却パイプには冷却水を通す。一方、加熱パイプにはボイラーによる加熱蒸気又は、ニクロム線を挿入したヒーターパイプによるものにする。【選択図】図1
0003101974.tif 000002
【実用新案登録請求の範囲】
【請求項１】
（イ）加熱パイプ▲１▼を設ける。
（ロ）冷却パイプ▲２▼を設ける。
以上の如く構成された、液体加熱、冷却１体化パイプ
【考案の詳細な説明】
【考案の詳細な説明】
【考案に属する技術分野】
【０００１】（イ）この考案は液体加熱、冷却１体化パイプである。
【背景技術】
【０００２】（イ）従来、加熱パイプ、冷却パイプはあったが、各々別々であった。
その為、スペースを取りすぎる不便があった。
【考案が解決しようとする課題】
【０００３】本件はその欠点を除いて、メリットの有る液体加熱、冷却１体化パイプを開発しようとするものである。
【課題を解決する為の手段】
【０００４】図面を追いながら説明する。
（イ）加熱用パイプ▲１▼
（ロ）冷却用パイプ▲２▼
【考案の効果】
【０００５】（イ）本案は、以上の構造であるから、一種類で加熱、冷却を可能に出来、小型でありながら二つの目的を満たす事の出来る液体加熱、冷却１体化パイプでる。
（ロ）従来の方法では、加熱していくと液がオーバーランにより目的の温度を大きく上回る事が起きた。又、冷却段階でも目的温度を大きく下回る事で不便であった。
（ハ）その為、精度の高い温度制御機器を必要としていたが、どうしても目的温度を得る事は極めて難しかった。
（ニ）この方法では、加熱していき目的温度に達した時にすぐ冷却に切り替える事により、オーバーランを防ぎ、安定した目的温度を保つ事が出来る。
（ホ）この為、温度制御に必要な多大な設備費が軽減される。
【図面の簡単な説明】
【図１】  本考案の正面図、側面図
【符号の説明】
▲１▼は加熱用パイプ
▲２▼は冷却用パイプ
【図１】
0003101974.tif 000003
【手続補正書】
【提出日】平成15年9月9日(2003.9.9)
【手続補正１】
【補正対象書類名】実用新案登録請求の範囲
【補正対象項目名】全文
【補正方法】変更
【補正の内容】
【実用新案登録請求の範囲】
【請求項１】
（イ）加熱パイプ▲１▼を設ける。
（ロ）冷却パイプ▲２▼を設ける。
（ハ）パイプ固定用ガイド板▲３▼を設ける。
（ニ）浮上防止オモリ▲４▼を設ける。
以上の如く構成された液体加熱、冷却１体化パイプ。
【手続補正書】
【提出日】平成15年12月17日(2003.12.17)
【手続補正１】
【補正対象書類名】実用新案登録請求の範囲
【補正対象項目名】全文
【補正方法】変更
【補正の内容】
【実用新案登録請求の範囲】
【請求項１】
浮上防止板▲４▼に穴の空いたパイプ固定用ガイド板▲３▼を取り付ける。加熱用テフロンパイプ又は金属パイプ▲１▼をスパイラル状に通す。冷却パイプ▲２▼も同様である。冷却パイプ▲２▼には冷却水を通す。一方、加熱パイプ▲１▼にはボイラーによる加熱蒸気又は、ニクロム線を挿入したヒーターパイプによるものにする。これは、液体の温度調節を目的に考案したもので加熱されてきた液体が設定温度をオーバーしようとした瞬間、加熱パイプ▲１▼のボイラー加熱蒸気又は、ヒーターパイプの加熱を制御により停止させると同時に冷却水が冷却パイプ▲２▼に流れるようにする。又、その逆に冷却が設定温度以下になる瞬間加熱機能に切替わる構造のものである。
以上のように構成された．液体加熱冷却１体化パイプ
【手続補正２】
【補正対象書類名】明細書
【補正対象項目名】全文
【補正方法】変更
【補正の内容】
【考案の詳細な説明】
【考案に属する技術分野】
【０００１】（イ）  この考案は液体加熱、冷却１体化パイプである。
【背景技術】
【０００２】（イ）従来、加熱パイプ、冷却パイプはあったが、各々別々であった。そのため、スペースを取りすぎる不便があった。
【考案が解決しようとする課題】
【０００３】本件はその欠点を除いて、メリットのある液体加熱、冷却１体化パイプを開発しようとするものである。
【課題を解決する為の手段】
【０００４】図面を追いながら説明する。
（イ）加熱用パイプ▲１▼        （ハ）パイプ固定用ガイド板▲３▼
（ロ）冷却用パイプ▲３▼        （ニ）浮上防止オモリ▲４▼
【考案の効果】
【０００５】（イ）本案は、以上の構造であるから、一種類で加熱、冷却を可能に出来、小型でありながら二つの目的を満たすことのできる液体加熱、冷却１体化パイプである。
（ロ）従来の方法では、加熱していくと液がオーバーランにより目的の温度を大きく上回る事が起きた。又、冷却段階でも目的温度を大きく下回ることで不便であった。
（ハ）その為、精度の高い温度制御機器を必要としていたが、どうしても目的温度を得る事は極めて難しかった。
（ニ）この方法では、加熱して域目的温度に達した時にすぐに冷却に切り替える事により、オーバーランを防ぎ、安定した目的温度を保つ事が出来る。
（ホ）この為、温度制御に必要な多大な設備費が軽減される。
【図面の簡単な説明】
【図１】本考案の正面図、側面図
【符号の説明】
▲１▼は加熱用パイプ
▲２▼は冷却用パイプ
▲３▼はパイプ固定用ガイド仮
▲４▼は浮上防止おもり
【手続補正３】
【補正対象書類名】図面
【補正対象項目名】全図
【補正方法】変更
【補正の内容】
【図１】
0003101974.tif 000004
(57)【要約】      （修正有）【課題】現在、発火用具としてタバコやガスの点火以外に積極的に消臭を目的としたマッチが実在していないことであり、載置しておくだけ、あるいは点火作業によって積極的に消臭効果が得られるように構成されたマッチが存在していない点である。【解決手段】頭薬２を一端に備えた軸木１を有し、その軸木の前記頭薬側に消臭剤を混入させたパラフィンの浸透部３を形成してあることとし、軸木の一端に、酸化剤である塩素酸カリウムに可燃剤を加えたものに消臭剤を加え、にかわで混和して、染料、顔料等で着色した頭薬を浸点させて備えていることとする。【選択図】図１
0003101234.tif 000002
【実用新案登録請求の範囲】
【請求項１】
頭薬を一端に備えた軸木を有し、その軸木の前記頭薬側に消臭剤を混入させたパラフィンの浸透部を形成してあることを特徴とする消臭マッチ。
【請求項２】
軸木の一端に、酸化剤である塩素酸カリウムに可燃剤を加えたものに消臭剤を加え、にかわで混和して、染料、顔料等で着色した頭薬を浸点させて備えていることを特徴とする消臭マッチ。
【考案の詳細な説明】
【技術分野】
【０００１】
本考案は消臭マッチに関し、載置しておくことや点火時に便所内や室内における悪臭を消すことができ、加えて点火時の刺激臭も消すことができる消臭マッチに関する。
【背景技術】
【０００２】
マッチは元来、軸木に付けた頭薬を摩擦することによって発火する用具であるが、特に欧米等において使用後の便所内でマッチを擦って点火し、吹き消すことで悪臭を消すことができるといわれている。
【０００３】
しかしながら、消臭はマッチ本来の使用目的ではないため、我が国においては上記のような習慣はなく、マッチを消臭効果と結び付けて考察することもないのが現状である。
【特許文献１】特開昭６１−１２２１８３号公報
【特許文献２】特開平１−１２５４３５号公報
【考案の開示】
【考案が解決しようとする課題】
【０００４】
本考案が解決しようとする課題は、現在、発火用具としてタバコやガスの点火以外に積極的に消臭を目的としたマッチが実在していないことであり、載置しておくだけ、あるいは点火作業によって積極的に消臭効果が得られるように構成されたマッチが存在していない点である。
【課題を解決するための手段】
【０００５】
本考案は上記した課題を解決するため、頭薬を一端に備えた軸木を有し、その軸木の前記頭薬側に消臭剤を混入させたパラフィンの浸透部を形成してあることを特徴とし、軸木の一端に、酸化剤である塩素酸カリウムに可燃剤を加えたものに消臭剤を加え、にかわで混和して、染料、顔料等で着色した頭薬を浸点させて備えていることを特徴としている。
【考案の効果】
【０００６】
本考案に係る消臭マッチは上記のように構成されている。そのために、単にこの消臭マッチを便所や室内に載置しておくだけでも軸木や頭薬に含まれている消臭剤が作用して、消臭効果が得られ、頭薬を擦って点火した時にも消臭剤が含まれるパラフィンや頭薬が燃えることで消臭効果が得られ、さらにはマッチ点火時特有の刺激臭も抑えることができることとなる。
【考案を実施するための最良の形態】
【０００７】
上記した効果を得るため、軸木の頭薬側の部分に消臭剤を混入させたパラフィンの浸透部を形成し、前記した頭薬にも消臭剤を加えて、軸木の一端に浸点させて備える構成としたことで実現させた。
【実施例１】
【０００８】
次に、本考案の好ましい実施の一例を図面を参照して説明する。図１は本考案を実施したマッチの斜視図である。
【０００９】
この図１にあって１は軸木を示しており、この軸木１は通例の箱マッチと同様にヤマナラシ、ドロノキ、サワグルミ、アスペン等を原材としており約２．２ｍｍ角、長さ約５ｃｍの標準サイズのものとされている。
【００１０】
この軸木１の一端には頭薬２が浸点されて備えられている。この頭薬２の浸点は後述するパラフィン浸透後になされるが、自動マッチ製造機では多数の軸木１が立て並べられ頭薬２となる薬泥をその軸木１に供給することによりなされる。
【００１１】
また、軸木１の頭薬２側には約１２ｍｍ程度の長さ域で、炎が頭薬２から軸木１に燃え移りやすくするためのパラフィンを浸透させたパラフィン浸透部３が形成されている。
【００１２】
本実施例にあって、前記パラフィン浸透部３におけるパラフィンには消臭剤が混入されたものとなっており、この消臭剤としてはアメニクリーン９１（登録商標、第一クリーンケミカル株式会社製）が使用されている。なお、消臭剤であるアメニクリーン９１（登録商標、第一クリーンケミカル株式会社製）は成分としてフタル酸ジエチルを５〜１０重量％、加えて植物性精油を含有した製品となっている。
【００１３】
さらに、頭薬２にも、通常の酸化剤である塩素酸カリウム、可燃剤に加えたものに、消臭剤としてアメニクリーン９１（登録商標、第一クリーンケミカル株式会社製）を加えたものとすることができる。
【００１４】
本実施例に係るマッチは上記のように構成されているので載置しておくのみでも消臭効果が得られ、点火した際にも消臭剤の入ったパラフィンや頭薬が燃えることで消臭効果が得られ、加えて、刺激臭も抑えることができるものとなっている。
【産業上の利用可能性】
【００１５】
本考案は上述のように構成され、作用するので、実施例で示した安全マッチの一種である箱マッチのほか、ブックマッチ、長軸マッチ、耐水耐風マッチの各種安全マッチにも応用でき、蝋軸マッチ、そして現在は三硫化リンを使用することとされている硫化リンマッチ（摩擦マッチ）にも広く応用実施することができる。
【図面の簡単な説明】
【００１６】
【図１】本考案を実施したマッチの斜視図である。
【符号の説明】
【００１７】
１    軸木
２    頭薬
３    パラフィン浸透部
【図１】
0003101234.tif 000003